(57)【要約】【課題】従来痔患者用としてあるドーナツ型座布団の欠点である、痔患部の座布団緩衝体部や座席面への接触がなく、また人体との接触面の少なさから生じる大腿部への圧迫を軽減する痔患者用座布団を提供する。【解決手段】基本的には人体との接触面積を増やすため四角形とし、丸穴をやめ中央前後方向全長に渡って長溝３１を設ける。さらに面状ファスナーを用いて緩衝体３３を着脱自在にし、ユーザーがそれぞれの体格に合わして最適な溝幅に調節できるようにする。【選択図】　図４
2004121603.tif 000002
【特許請求の範囲】
【請求項１】
発泡材、空気封入シート、綿や化学繊維系弾性材等で形成された緩衝体よりなる座布団であって、中央前後方向（人が座った場合膝の方を前、臀部の方を後ろとする）のほぼ全長に渡って長溝（１１、２１、３１）を設けたことを特徴とする（主に）痔患者用座布団。
【請求項２】
面状ファスナーオス（あるいはメス）を上面に備えたベースシート３２と面状ファスナーメス（あるいはオス）を下面に備えたベースシートの約半分の大きさの緩衝体３３二片からなり、緩衝体二片は適宜の間隔をつけてベースシートに張り付けること及び剥がすことができる溝幅調整が可能な請求項１記載の（主に）痔患者用座布団。
【請求項３】
緩衝体二片の内一片はベースシートに固着され、他の一片３３は面状ファスナーを下面に備えている一片のみ着脱が可能な請求項１、２記載の（主に）痔患者用座布団。
【発明の詳細な説明】
【０００１】
【発明の属する技術分野】
この発明は主に痔患者用座布団に関するものであるが、痔患者でなくても足を投げ出して座った場合尾てい骨付近に圧迫がかかるが、その点も解消できるため痔患者用座布団に限らず一般的な座布団の快適性の向上をもめざすものである。
【０００２】
【従来の技術】
従来痔患者用座布団としてドーナツ型座布団（図６）があるがそれには以下のような欠点があった。
（イ）痔患部をドーナツ型座布団の中央穴部６１に合わして座ると、人体とドーナツ型座布団との接触面積は少なく太腿部の約半分（膝側）は座布団にかからなくなってしまう、そのことは同時に大腿部への圧迫力を強め血流を悪くする結果ともなってしまうまたドーナツ型座布団の後ろ半分は無用の部分となってしまう（図７）、一方座布団全体に座ろうとすれば痔患部がドーナツ型座布団の緩衝体部６３に接触してしまいこれは全く目的から逸脱してしまう（図８）。
（ロ）ある程度長時間座っていると座る位置は前後に移動してしまうものであるが、ドーナツ型座布団の場合前後に移動すると患部が緩衝体部に接触してしまう（図９は前方向に移動した場合）。
（ハ）ドーナツ型座布団の内側直径Ｄ（図６）は固定で且つ大きめにしている（不特定多数のユーザーに合わせなくてはならない等）ため使用する者の体格によっては最大径の位置に座ると患部が座席面に接触してしまう。
【０００３】
【発明が解決しようとする課題】
（イ）臀部から大腿部全域を座布団に乗せても患部が緩衝体部に接触しない。
（ロ）臀部が前後に移動しても患部が緩衝体部や座席面に接触しない。
（ハ）凹部の寸法が変更できる。
【０００４】
【問題を解決するための手段】
基本的には大腿部との接触面積を増やすため四角型とし、丸穴をやめ座布団の中央に長溝を設ける。また高級タイプとしては、緩衝体を着脱可能にして溝幅を変更できるようにする。
【０００５】
【発明の実施の形態】
本発明は溝幅に関して固定式（請求項１）と可変式（請求項２、３）がある。固定式には一体成型のタイプ（実施例１）と二体を連結するタイプ（実施例２）とがある。可変式は緩衝体二片に面状ファスナーメス（オス）を配しておき、適宜の間隔をつけて面状ファスナーオス（メス）を付けたベースシートに張り付けるタイプ（実施例３）と一片は固定で他の一片のみ着脱するタイプ（実施例４）がある。固定式の溝幅は体格の平均値に合わしてメーカーが設定し、可変式の溝幅はユーザーがユーザー自身の体格に合わして設定する。
【０００６】
【実施例】
図１は本発明品の実施例１（請求項１）を示す。一体成型の緩衝体１３（発泡材、空気封入シート、綿や化学繊維系弾性材等で形成）の中央前後方向（人が座った場合膝の方を前、臀部の方を後ろとする）に長溝１１を形成する。
【０００７】
図２は本発明品の実施例２（請求項１）を示す。座布団の縦割り約半分の大きさの緩衝体２３二片を適宜の間隔を設けてやや硬質のシート２２で繋ぎ間隔を保持する。
【０００８】
図３は本発明品の実施例３（請求項２）で張り付ける前の状態を示す。ベースシート３２（基本的には四角型）の上面に面状ファスナーオス（メス）を配しておき、そのシートの約半分の大きさの緩衝体３３二片の下面に面状ファスナーメス（オス）を付け、緩衝体二片を適宜の間隔をつけてベースシートに張り付ける。図４はそれらを張り付けた状態である。
【０００９】
図５は本発明品の実施例４（請求項３）で張り付ける前の状態をを示す。緩衝体一片はベースシートに固着されていて他の一片のみに面状ファスナーが付いている。緩衝体３３一片のみ着脱が可能で、緩衝体一片のみで長溝の溝幅を調整する。
【００１０】
【発明の効果】
本発明品を痔患者が使用すれば、ドーナツ型座布団のように患部の座席面や緩衝体部への接触はなくなり、また大腿部との接触面積も大きくなる（図１０）ので大腿部への圧迫感も軽減され血流も良くなる、且つ臀部が前後に移動しても患部の座席面や緩衝体部への接触は全くない。
【００１１】
ユーザー各人の体格体重によって使用感は異なってくるが、本発明品の溝幅可変式を使用すれば、ユーザー各人の体格に合った最適の溝幅に設定することができるためさらに座り心地は向上する。
【００１２】
一般的に炬燵等で普通の座布団に足を投げ出して座る場合、尾てい骨付近に強い圧迫力を受けあまり長く座っていられないが、本発明品を使用すれば尾てい骨付近は緩衝体と接触しないので圧迫力はかからずより長い時間座ることが可能となる、しかも尾てい骨部付近の血流が良くなるので健康にも大変効果的である。そのため本発明品は（主に痔患者用としているが）痔患者以外の一般の人でもおおいにその効用は期待出来る。
【図面の簡単な説明】
【図１】本発明品（実施例１）の斜視図である。
【図２】本発明品（実施例２）の斜視図である。
【図３】本発明品（実施例３）で張り付ける前の状態を示す斜視図である。
【図４】本発明品（実施例３）で張り付けた状態を示す斜視図である。
【図５】本発明品（実施例４）で張り付ける前の状態を示す斜視図である。
【図６】ドーナツ型座布団を示す平面図である。
【図７】ドーナツ型座布団と人体（主に座布団との接触部分）との位置関係図である。
【図８】ドーナツ型座布団と人体（主に座布団との接触部分）との位置関係図である。
【図９】ドーナツ型座布団と人体（主に座布団との接触部分）との位置関係図である。
【図１０】本発明品と人体（主に座布団との接触部分）との位置関係図である。
【符号の説明】
１１　　長溝（実施例１）
１３　　緩衝体（実施例１）
２１　　長溝（実施例２）
２２　　間隔保持シート（実施例２）
２３　　緩衝体（実施例２）
３１　　長溝（実施例３）
３２　　ベースシート（面状ファスナー付）［実施例３］
３３　　緩衝体（面状ファスナー付）［実施例３、４］
３４　　面状ファスナーオス（メス）
３５　　面状ファスナーメス（オス）
４２　　緩衝体一片固着ベースシート（実施例４）
５１　　臀部
５２　　大腿部
５３　　痔患部
６１　　穴部
６３　　緩衝体部
【図１】
2004121603.tif 000003
【図２】
2004121603.tif 000004
【図３】
2004121603.tif 000005
【図４】
2004121603.tif 000006
【図５】
2004121603.tif 000007
【図６】
2004121603.tif 000008
【図７】
2004121603.tif 000009
【図８】
2004121603.tif 000010
【図９】
2004121603.tif 000011
【図１０】
2004121603.tif 000012